(57)【要約】      （修正有）【課題】回路基板を容易に支持、係止できるとともに、その支持、係止状態を容易に確認できる電源装置およびこの電源装置を具備する照明器具を提供する。【解決手段】電源装置１は、長方形状の底板部５、底板部５の長手方向に沿う両側に互いの平面が対向するように設けられた一対の立上部６，６、一対の立上部６，６の長手方向のそれぞれの両端側に当該長手方向に沿って一対の立上部６，６の内側に折り曲げ可能に設けられて回路基板２の一方の面２ａを係止する第１の係止爪７および一対の立上部６，６にそれぞれ当該長手方向に沿って一対の立上部６，６の内側に折り曲げ可能に設けられて回路基板２の他方の面２ｂを係止する第２の係止爪８を有するケース３とを具備している。【選択図】図１
2011076881.tif 000002
【特許請求の範囲】
【請求項１】
回路部品が実装された長方形状の回路基板と；
長方形状の底板部、この底板部の長手方向に沿う両側に互いの平面が対向するように設けられた一対の立上部、この一対の立上部の長手方向のそれぞれの両端側に当該長手方向に沿って前記一対の立上部の内側に折り曲げ可能に設けられて前記回路基板の一方の面を係止する第１の係止爪および前記一対の立上部にそれぞれ当該長手方向に沿って前記一対の立上部の内側に折り曲げ可能に設けられて前記回路基板の他方の面を係止する第２の係止爪を有するケースと；
を具備していることを特徴とする電源装置。
【請求項２】
前記第１および第２の係止爪は、前記回路基板を介して互いに正対するように設けられていることを特徴とする請求項１記載の電源装置。
【請求項３】
請求項１または２記載の電源装置と；
この電源装置により点灯される照明負荷と；
この照明負荷を配設している器具本体と；
を具備していることを特徴とする照明器具。
【発明の詳細な説明】
【技術分野】
【０００１】
本発明は、回路部品が実装された回路基板を有する電源装置およびこの電源装置を具備する照明器具に関する。
【背景技術】
【０００２】
蛍光ランプを高周波点灯する放電ランプ用点灯装置などの電源装置には、回路部品が回路基板に実装されて、その回路基板がケースに収納されているものがある。そして、当該回路基板は、例えばケースに設けた係止爪や係止片により支持、係止されているものがある（例えば特許文献１参照。）。
【０００３】
この従来技術の放電ランプ用点灯装置は、ケース底板の一対の立上部に複数の係止爪および複数の係止孔が設けられ、係止爪が折り曲げられて回路基板の一方の面を支持し、ケース蓋体の一対の側板部に設けられた係止片が折り曲げられて前記係止孔に係止されるとともに、回路基板の他方の面に近接するものである。
【先行技術文献】
【特許文献】
【０００４】
【特許文献１】特開２００８−３０００４２号公報（第５,６頁、第１,２図）
【発明の概要】
【発明が解決しようとする課題】
【０００５】
特許文献１の放電ランプ用点灯装置は、ケース底板およびケース蓋体にそれぞれ係止爪および係止片が設けられ、ケース底板に係止片を挿入する係止孔が設けられるので、回路基板を取り付けるための構成が複雑であり、高価になるという欠点を有する。また、回路基板の係止は、ケース底板にケース蓋体を被嵌して行われるので、回路基板の支持、係止に手間を要するとともに、その支持、係止状態を確認しにくいという欠点を有する。
【０００６】
本発明は、回路基板を容易に支持、係止できるとともに、その支持、係止状態を容易に確認できる電源装置およびこの電源装置を具備する照明器具を提供することを目的とする。
【課題を解決するための手段】
【０００７】
請求項１に記載の電源装置の発明は、回路部品が実装された長方形状の回路基板と；長方形状の底板部、この底板部の長手方向に沿う両側に互いの平面が対向するように設けられた一対の立上部、この一対の立上部の長手方向のそれぞれの両端側に当該長手方向に沿って前記一対の立上部の内側に折り曲げ可能に設けられて前記回路基板の一方の面を係止する第１の係止爪および前記一対の立上部にそれぞれ当該長手方向に沿って前記一対の立上部の内側に折り曲げ可能に設けられて前記回路基板の他方の面を係止する第２の係止爪を有するケースと；を具備していることを特徴とする。
【０００８】
本発明および以下の各発明において、特に言及しない限り、各構成は以下による。
【０００９】
「第１の係止爪または第２の係止爪が一対の立上部の長手方向に設けられる」とは、第１の係止爪または第２の係止爪がケース底板の底板部に平行に設けられることを意味する。
【００１０】
また、第１の係止爪は、一対の立上部のそれぞれの両端側（一端側および他端側）に設けられる（４個設けられる）他、さらに一端側および他端側の中間に１個または複数個設けてもよい。
【００１１】
第２の係止爪は、一対の立上部にそれぞれ１個設けられていればよいが、回路基板を安定的に支持、係止する観点からして、一対の立上部にそれぞれ複数個設けるのが好ましい。
【００１２】
２個の第１の係止爪は、その先端側が互いに向き合うように設けられていてもよく、互いに反対側を向くように設けられていてもよく、互いに同一方向を向くように設けられていてもよい。第２の係止爪についても同様である。
【００１３】
本発明によれば、ケース底板の一対の立上部に設けられた第１および第２の係止爪をそれぞれ一対の立上部の内側に折り曲げることにより、回路基板の一方の面および他方の面が第１および第２の係止爪により支持、係止されて、回路基板がケースに収納される。
【００１４】
請求項２に記載の電源装置の発明は、請求項１記載の電源装置の発明において、前記第１および第２の係止爪は、前記回路基板を介して互いに正対するように設けられていることを特徴とする。
【００１５】
本発明によれば、回路基板は、折り曲げられた第１および第２の係止爪により挟み込まれるようにして支持、係止される。
【００１６】
請求項３に記載の照明器具の発明は、請求項１または２記載の電源装置と；この電源装置により点灯される照明負荷と；この照明負荷を配設している器具本体と；を具備していることを特徴とする。
【００１７】
電源装置は、器具本体に配設されていてもよく、器具本体と別体に設けられていてもよい。
【００１８】
照明負荷は、発光ダイオード（ＬＥＤ）や有機エレクトロルミネッセンス（ＥＬ）素子などの面発光素子、蛍光ランプ等の放電ランプなど、電源装置により点灯されて照明光を放射するものであればよい。
【００１９】
本発明によれば、請求項１または２記載の電源装置によって点灯制御される照明負荷を具備する照明器具が提供される。
【発明の効果】
【００２０】
請求項１の発明によれば、ケースの一対の立上部に第１および第２の係止爪が設けられる簡素な構成であるので、回路基板の支持、係止状態を視認しながら第１および第２の係止爪を折り曲げることができて、回路基板を容易に支持、係止することができるとともに、電源装置を安価にすることが  できる。
【００２１】
請求項２の発明によれば、回路基板は、第１および第２の係止爪により挟み込まれるようにして支持、係止されるので、回路基板をケースの一対の立上部の内側に安定して収納することができる。
【００２２】
請求項３の発明によれば、請求項１または２記載の電源装置によって点灯制御される照明負荷を具備する照明器具を提供することができる。
【図面の簡単な説明】
【００２３】
【図１】本発明の実施例１を示す電源装置であり、（ａ）は概略縦断面図、（ｂ）は（a）のＡ−Ａ方向の概略断面図。
【図２】同じく、電源装置の分解概略側面図。
【図３】同じく、ケース蓋体を被嵌した電源装置の概略縦断面図。
【図４】本発明の実施例２を示す電源装置の概略側面図。
【図５】同じく、他の電源装置の概略側面図。
【図６】本発明の実施例３を示す照明器具の概略横断面図。
【発明を実施するための形態】
【００２４】
以下、本発明の一実施の形態について、図面を参照して説明する。
【００２５】
本発明において、回路基板を支持、係止する第１および第２の係止爪は、ケースの一対の立上部にそれぞれ設けられている。回路基板は、第１および第２の係止爪を一対の立上部の内側に折り曲げることにより、第１および第２の係止爪に支持、係止されて、ケースに収納される。
【実施例１】
【００２６】
図１ないし図３は、本発明の実施例１を示し、図１は電源装置であり、（ａ）は概略縦断面図、（ｂ）は（a）のＡ−Ａ方向の概略断面図、図２は電源装置の分解概略側面図、図３はケース蓋体を被嵌した電源装置の概略縦断面図である。
【００２７】
図２において、電源装置１は、例えば発光ダイオード（ＬＥＤ）や放電ランプを点灯する点灯装置であり、回路基板２およびケース３を有して構成されている。
【００２８】
回路基板２は、長方形状の例えばガラスエポキシ材や紙フェノール材などからなり、回路部品４を実装している。すなわち、一方の面（下面）２ａにチップ部品であるトランジスタＱ１，Ｑ２を実装し、他方の面(上面)２ｂにディスクリート部品であるコンデンサＣ１、背の低いコンデンサＣ２、抵抗Ｒ１〜Ｒ３、ダイオードＤ１、トランスＴ１、ＩＣ素子ＩＣ１や図示しないインダクタなどを実装している。回路基板２の板厚は、例えば２．０ｍｍである。
【００２９】
ケース３は、金属製例えばアルミ合金からなり、図１（ａ）に示すように、１枚の平板を折り曲げて底板部５および一対の立上部６，６に形成した矩形状の長尺枠体である。すなわち、底板部５は、長方形状に形成され、一対の立上部６，６は、底板部５に対して直角に折り曲げられ、底板部５の長手方向に沿う両側に互いの平面が対向するように設けられている。
【００３０】
そして、一対の立上部６，６には、図２に示すように、それぞれの両端側６ａ、６ｂに第１の係止爪７，７および第２の係止爪８，８がそれぞれ設けられている。第１の係止爪７，７および第２の係止爪８，８は、打ち抜きによりそれぞれ長方形に形成されているとともに、立上部６の長手方向に沿うようにしてかつ先端側７ａ，７ａおよび先端側８ａ，８ａがそれぞれ互いに反対側を向くようにして形成されている。また、第１の係止爪７と第２の係止爪８とは、互いに正対するように、立上部７の長手方向と直交する方向の同一直線上に所定の間隔Ｋ１を有して形成されている。間隔Ｋ１は、回路基板２の板厚（例えば２ｍｍ）より幾分大きい寸法（例えば２．５ｍｍ）に設定されている。
【００３１】
第１の係止爪７，７および第２の係止爪８，８は、それぞれ打ち抜きにより長方形に形成され、基端側７ｂおよび基端側８ｂを除く周囲がスリット状の孔９となっている。これにより、第１の係止爪７，７および第２の係止爪８，８は、それぞれ基端側７ｂおよび基端側８ｂを軸として一対の立上部６，６の内側に折り曲げ可能となっている。
【００３２】
第１の係止爪７，７は、上記折り曲げにより、図１に示すように、回路基板２の一方の面（下面）２ａを支持する。また、第２の係止爪８，８は、同じく、回路基板２の他方の面２ｂに近接する。これにより、回路基板２は、第１の係止爪７，７および第２の係止爪８，８により支持、係止されて、一対の立上部６，６の長手方向と直交する方向への移動が規制されている。
【００３３】
そして、底板部５には、図１（ｂ）に示すように、長手方向の両端側５ａ，５ｂにそれぞれ切り起し片１０，１０が設けられている。切り起し片１０，１０は、矩形状のケース３の内側に、それぞれ奥側の底面３ａから互いに反対方向に向かうように長方形状に切り起されている。そして、切り起し片１０，１０は、それぞれの先端部１０ａが第２の係止爪８，８よりも底面３ａから離間するような大きさに形成されている。切り起し片１０，１０は、回路基板２がその長手方向に移動するときに当接し、当該移動を規制するものである。
【００３４】
また、底板部５には、その両端側５ａ，５ｂにそれぞれ図示しない入力用および出力用の端子台が設けられている。
【００３５】
ケース３には、図３に示すように、ケース蓋体１１が被嵌されている。ケース蓋体１１は、設けなくてもよいものであるが、電源装置１が埃などが侵入しやすい場所に設置されるときに有効である。
【００３６】
ケース蓋体１１は、金属製例えばアルミニゥム（Ａｌ）板からなり、１枚の長方平板を折り曲げて、一対の側板部１２，１２およびこの側板部１２，１２に跨る天板部１３を有する長尺枠体に形成されている。側板部１２，１２および天板部１３には、図示しない通気用のスリットが適宜設けられている。そして、ケース蓋体１１は、一対の側板部１２，１２がケース３の一対の立上部６，６を挟持するようにして、ケース３に取り付けられている。
【００３７】
次に、本発明の実施例１の作用について説明する。
【００３８】
ケース３の一対の立上部６，６において、第１の係止爪７，７を一対の立上部７，７の内側に折り曲げる。そして、回路基板２を、その一方の面（下面）２ａがケース３の底面３ａ側となるようにして、一対の切り起し片１０，１０間に挿入し、第１の係止爪７，７に載置する。回路基板２は、４箇所で第１の係止爪７，７により支持される。そして、第２の係止爪８，８を一対の立上部７，７の内側に折り曲げる。第２の係止爪８，８は、回路基板２の他方の面（上面）２ａに４箇所で近接して係止する。
【００３９】
このように、第１の係止爪７，７が回路基板２の一方の面（下面）２ａを支持し、第２の係止爪９，９が回路基板２の他方の面（上面２ｂ）に近接して係止するので、回路基板２の長手方向と直交する方向(上下方向)の移動が規制される。また、ケース３の底板部５に設けられた一対の切り起し片１０，１０が回路基板２の長手方向の移動を規制する。回路基板２は、ケース３に設けた第１の係止爪７，７、第２の係止爪８，８および一対の切り起し片１０，１０の簡素な構成で、ケース３に収納され、保持させることができる。
【００４０】
上述したように、ケース３にケース蓋体１１を被嵌しない状態で、第１の係止爪７，７および第２の係止爪８，８を一対の立上部６，６の内側に折り曲げることにより、回路基板２が支持、係止されるので、回路基板２の支持、係止状態を視認しながら回路基板２を容易に支持、係止することができるとともに、回路基板２の支持、係止状態を容易に確認することができる。
【００４１】
また、第１の係止爪７，７および第２の係止爪８，８は、一対の立上部６，６において、一対の立上部６，６の長手方向と直交する方向に所定の間隔Ｋ１を有して形成され、一対の立上部６，６の内側に折り曲げられたときに、回路基板２を介して互いに正対し、回路基板２を挟み込むようにして支持、係止するので、回路基板２をケース３に安定して収納することができて、電源装置１の品質を向上させることができる。
【００４２】
そして、ケース３に設けた第１の係止爪７，７、第２の係止爪８，８および一対の切り起し片１０，１０の簡素な構成で、回路基板２をケース３にほぼ固定して収納できるので、電源装置１を安価に形成することができる。
【００４３】
なお、第１および第２の係止爪７，７、８，８によって回路基板２を完全に支持、係止できているときには、一対の切り起し片１０，１０は、設けなくてもよい。
【実施例２】
【００４４】
図４および図５は、本発明の実施例２を示し、図４は電源装置の概略側面図、図５は他の電源装置の概略側面図である。なお、図２と同一部分には、同一符号を付して説明は省略する。
【００４５】
図４に示す電源装置１４は、図２に示す電源装置１において、第１の係止爪７，７および第２の係止爪８，８の形成方向が異なるものである。すなわち、第１の係止爪７，７は、その先端側７ａ，７ａが互いに向き合うようにして形成され、第２の係止爪８，８は、その先端側８ａ，８ａが互いに向き合うようにして形成されている。
【００４６】
電源装置１と同様に、第１の係止爪７，７および第２の係止爪８，８が一対の立上部６，６の内側に折り曲げられることにより、回路基板２を支持、係止することができる。
【００４７】
また、図５に示す電源装置１５は、図２に示す電源装置１において、一対の立上部６，６の長手方向の中間側６ｃに第２の係止爪８が形成されている。第１の係止爪８，８は、一対の立上部６，６の両端側６ａ，６ｂにそれぞれ形成されている。
【００４８】
第１の係止爪７，７および第２の係止爪８をそれぞれ一対の立上部６，６の内側へ折り曲げることにより、回路基板２は、その一方の面（下面）２ａが４個の第１の係止爪７により支持され、他方の面（上面）２ｂに２個の第２の係止爪８が近接して係止する。したがって、回路基板２は、一対の立上部６，６にそれぞれ設けられた第１の係止爪７，７および第２の係止爪８によって支持、係止可能である。
【００４９】
なお、図４に示す電源装置１４および図５に示す電源装置１５において、第２の係止爪８を一対の長手方向と直交する方向に設けて、第１の係止爪７，７との間で回路基板２を支持、係止することも可能である。
【実施例３】
【００５０】
図６は、本発明の実施例３を示す照明器具の概略横断面図である。なお、図１と同一部分には、同一符号を付して説明は省略する。
【００５１】
図６に示す照明器具１６は、屋外に設置される防犯灯であり、図１に示す電源装置１、透光性の筒状カバー１７を取り付けている器具本体１８および照明負荷としての発光ダイオード１９を具備する発光ユニット２０を有して構成されている。
【００５２】
器具本体１８は、アルミダイキャストからなり、その外周部が円筒形であり、その内側の輪郭も円形状に形成されている。そして、器具本体１８は、アーム２１にねじ等で着脱可能に取り付けられている。器具本体１８は、アーム２１によって、路面に設置された電柱等のポールに取り付けられている。
【００５３】
筒状カバー１７は、アクリルやポリカーボネート樹脂等の透光性樹脂で一体成形され、その頂部２２が閉塞されており、その基端部２３側に開口部２４が形成されている。そして、基端部２３が器具本体１８の外周部に防水パッキン２５を介して取り付けられている。
【００５４】
発光ユニット２０は、発光ダイオード１９を主面に実装している基板２６および基板２６の背面に密着して配設されたアルミニウム（Ａｌ）製の放熱板２７からなっている。放熱板２７は、筒状カバー１７の内側に形成された一対の溝部２８に挿入されて器具本体１８に固定されている。発光ダイオード１９は、基板２６の主面に複数個が実装され、可視光例えば白色光を放射する。
【００５５】
そして、放熱板２７に電源装置１が配設されている。電源装置１は、器具本体１８に導入された電源線２９に接続されており、当該電源線２９から交流電圧を入力する。そして、回路部品４の動作によって、交流電圧を所定の直流電圧に変換して発光ダイオード１９に供給する。これにより、発光ダイオード１９は、所定の電流が流れて点灯する。なお、電源装置１は、ケース蓋体１１を具備せず、ケース３の底板部５が非放熱板側となるようにして放熱板２７に取り付けられている。
【００５６】
照明器具１６は、回路基板２を簡素な構成で支持、係止して安価に形成される電源装置１を具備するので、安価に形成することができる。
【産業上の利用可能性】
【００５７】
本発明は、照明負荷を点灯する点灯装置の他、制御機器またはモータやヒータなどの電気機器などに電力を供給する電源装置に利用することができる。
【符号の説明】
【００５８】
１…電源装置、  ２…回路基板、  ３…ケース、  ５…底板部、  ６，６…一対の立上部、  ７…第１の係止爪、  ８…第２の係止爪、  １６…照明器具、  １８…器具本体、  １９…照明負荷としての発光ダイオード
【図１】
2011076881.tif 000003
【図２】
2011076881.tif 000004
【図３】
2011076881.tif 000005
【図４】
2011076881.tif 000006
【図５】
2011076881.tif 000007
【図６】
2011076881.tif 000008